(57)【特許請求の範囲】
【請求項１】
画像表示システムであって、
画像表示装置と、
第１のアタッチメントと、
第２のアタッチメントと、
を備えており、
前記画像表示装置は、
ユーザの顔部に装着可能なフレームと、
前記フレームが前記ユーザの前記顔部に装着される場合における前記ユーザの右眼に対向する位置と左眼に対向する位置とのうちの少なくとも一方に配置される表示部と、
前記表示部に画像を表示させるための表示制御部と、
前記フレームに設けられており、前記第１のアタッチメントを装着可能であるとともに、前記第２のアタッチメントを装着可能であって、前記画像表示装置の使用時において前記第１のアタッチメントと前記第２のアタッチメントとのうちの一方を選択的に装着可能なジョイント部と、を有しており、
前記第１のアタッチメントは、前記ユーザの頭部に係止可能な係止部と、前記係止部を前記ジョイント部に取り付けるための第１の取付部と、を有しており、
前記第２のアタッチメントは、前記ユーザの頭部を被覆する帽体に固定可能な固定部と、前記固定部を前記ジョイント部に取り付けるための第２の取付部と、を有している、
画像表示システム。
【請求項２】
前記ジョイント部は、前記第１のアタッチメント及び前記第２のアタッチメントの前記フレームに対する装着位置を相対的に変更可能な第１の調整機構を有する、
請求項１に記載の画像表示システム。
【請求項３】
前記係止部は、前記頭部に対する係止位置を相対的に変更可能な第２の調整機構を有する、
請求項１又は２に記載の画像表示システム。
【請求項４】
前記第２のアタッチメントは、前記第２の取付部に対する前記固定部の配置位置を相対的に変更可能な第３の調整機構を有する、
請求項１から３のいずれか一項に記載の画像表示システム。
【請求項５】
前記固定部と前記第２の取付部とが着脱可能に設けられる、
請求項１から４のいずれか一項に記載の画像表示システム。
【請求項６】
前記表示部の外側を被覆するカバーをさらに備える、
請求項１から５のいずれか一項に記載の画像表示システム。
【請求項７】
前記表示部は透光性のディスプレイであって、前記フレームが前記ユーザの前記顔部に装着される場合に前記ユーザが前記表示部越しに周囲を視認できるものであり、
前記カバーは透光性の被覆部材である、
請求項６に記載の画像表示システム。
【発明の詳細な説明】
【技術分野】
【０００１】
本明細書によって開示される技術は、ユーザの顔部に装着して用いられる画像表示装置を備える画像表示システムに関する。
【背景技術】
【０００２】
例えば、特許文献１には、ユーザの顔部に装着して用いられる画像表示装置が開示されている。この画像表示装置は、ユーザの顔部に装着可能な眼鏡状のフレームと、フレームが顔部に装着される場合におけるユーザの右眼及び左眼に対向する位置に配置される表示部と、表示部に画像を表示させるための表示制御部と、を有している。
【先行技術文献】
【特許文献】
【０００３】
【特許文献１】特開２０１４−９３０５０号公報
【発明の概要】
【発明が解決しようとする課題】
【０００４】
この種の画像表示装置は、その重量のために、ユーザの顔部に装着させた状態で安定して保持することが困難な場合がある。そのため、従来は、画像表示装置を、ユーザの頭部に装着可能な係止体（例えば、ヘアバンド状のフレーム、カチューシャ状のフレーム等）や、ユーザの頭部を被覆する帽体等の所定の保持体に固定し、その保持体を頭部に装着することによって、ユーザの顔部に画像表示装置を保持できるようにして用いる場合がある。しかしながら、ユーザ毎に、自身の頭部に適した保持体が異なる場合がある。特許文献１の技術では、画像表示装置の様々な装着態様を実現することは考慮されていない。
【０００５】
本明細書では、画像表示装置の様々な装着態様を実現し得る技術を開示する。
【０００６】
本明細書によって開示させる画像表示システムは、画像表示装置と、第１のアタッチメントと、第２のアタッチメントと、を備えている。画像表示装置は、ユーザの顔部に装着可能なフレームと、フレームがユーザの顔部に装着される場合におけるユーザの右眼に対向する位置と左眼に対向する位置とのうちの少なくとも一方に配置される表示部と、表示部に画像を表示させるための表示制御部と、フレームに設けられており、第１のアタッチメントを装着可能であるとともに、第２のアタッチメントを装着可能であって、画像表示装置の使用時において第１のアタッチメントと第２のアタッチメントとのうちの一方を選択的に装着可能なジョイント部と、を有している。第１のアタッチメントは、ユーザの頭部に係止可能な係止部と、係止部をジョイント部に取り付けるための第１の取付部と、を有している。第２のアタッチメントは、ユーザの頭部を被覆する帽体に固定可能な固定部と、固定部をジョイント部に取り付けるための第２の取付部と、を有している。
【０００７】
ここで、「第１のアタッチメント」は、カチューシャ状の係止アタッチメント、ヘアバンド状の係止アタッチメント等、頭部に係止可能な任意のアタッチメントを含む。「第２のアタッチメント」は、帽子、ヘルメット等、頭部を被覆する任意の帽体に固定可能な任意のアタッチメントを含む。また、「表示部に画像を表示させる」とは、画像表示装置を装着したユーザが、表示部を見た際に、その画像を見ることができれば足りる。即ち、表示部が、投光された光を反射するだけの構成を有し、ユーザが、表示部によって反射された反射光を見る（即ち、網膜で受光する）ことによって、画像を認識することができるものである場合も含む。
【０００８】
上記の画像表示システムでは、画像表示装置のフレームには、第１のアタッチメントを装着可能であるとともに、第２のアタッチメントを装着可能であって、画像表示装置の使用時において第１のアタッチメントと第２のアタッチメントとのうちの一方を選択的に装着可能なジョイント部が設けられている。そのため、画像表示システムの使用時には、第１のアタッチメントと第２のアタッチメントとのうちの一方を選択的にフレームに装着した状態で使用することができる。ユーザ毎に、第１のアタッチメントと第２のアタッチメントのどちらを装着した状態で使用するのかを選択することができる。そのため、ユーザ毎に、自身の頭部に適した保持体（即ち、第１のアタッチメント又は帽体）を選択することができる。従って、上記の画像表示システムによると、画像表示装置の様々な装着態様を実現し得る。
【０００９】
ジョイント部は、第１のアタッチメント及び第２のアタッチメントのフレームに対する装着位置を相対的に変更可能な第１の調整機構を有していてもよい。
【００１０】
この構成によると、ユーザは、第１のアタッチメント及び第２のアタッチメントのフレームに対する装着位置、即ち、第１のアタッチメントが頭部に係止される際の位置及び帽体が頭部を被覆する際の位置を調整することができる。そのため、画像表示装置をユーザの顔部に装着させた状態でより適切に保持し得る。
【００１１】
係止部は、頭部に対する係止位置を相対的に変更可能な第２の調整機構を有していてもよい。
【００１２】
この構成によると、ユーザは、第１のアタッチメントを頭部の適切な位置に係止させることができる。
【００１３】
第２のアタッチメントは、第２の取付部に対する固定部の配置位置を相対的に変更可能な第３の調整機構を有していてもよい。
【００１４】
この構成によると、ユーザは、固定部に固定させた帽体と画像表示装置との位置関係を適切に調整することができる。
【００１５】
固定部と第２の取付部が着脱可能に設けられていてもよい。
【００１６】
この構成によると、ユーザは、固定部を第２の取付部から取り外すことにより、帽体から固定部を取り外すことなく、フレームと帽体とを分離させることができる。
【００１７】
表示部の外側を被覆するカバーをさらに備えてもよい。
【００１８】
この構成によると、カバーで表示部の外側を被覆しておくことで、落下の衝撃等から表示部を保護することができる。
【００１９】
表示部は透光性のディスプレイであって、フレームがユーザの顔部に装着される場合にユーザが表示部越しに周囲を視認できるものであってもよい。カバーは透光性の被覆部材であってもよい。
【００２０】
この構成によると、フレームがユーザの顔部に装着される場合に、ユーザは、表示部及びカバー越しに周囲を視認することができる。
【図面の簡単な説明】
【００２１】
【図１】画像表示システム２の概要を示す。
【図２】画像表示装置１０に第１のアタッチメント１００を装着した様子を示す。
【図３】ユーザが図２の画像表示装置１０を装着した様子を示す。
【図４】画像表示装置１０に第２のアタッチメント２００及びヘルメット４００を装着した様子を示す。
【図５】ユーザが図４の画像表示装置１０を装着した様子を示す。
【図６】画像表示装置１０にカバー３００を装着した様子を示す。
【図７】ユーザが図６の画像表示装置１０を装着した様子を示す。
【発明を実施するための形態】
【００２２】
（実施例）
（画像表示システム２の構成；図１）
図１に示すように、画像表示システム２は、画像表示装置１０と、第１のアタッチメント１００と、第２のアタッチメント２００と、カバー３００と、を備える。画像表示システム２においては、画像表示装置１０がシステムの本体であり、第１のアタッチメント１００、第２のアタッチメント２００、及び、カバー３００は、画像表示装置１０の付属品である。
【００２３】
（画像表示装置１０の構成；図１）
画像表示装置１０は、ユーザの顔部に装着して用いられる画像表示装置（いわゆるヘッドマウントディスプレイ）である。図１に示すように、画像表示装置１０は、フレーム２０と、右表示部３０Ｒと、左表示部３０Ｌと、右投影部４０Ｒと、左投影部４０Ｌと、右カメラ５０Ｒと、左カメラ５０Ｌと、制御部６０と、右ジョイント部７０Ｒと、左ジョイント部７０Ｌと、を備える。
【００２４】
フレーム２０は、眼鏡フレーム状の部材である。フレーム２０は、フロント部２４と、右テンプル部２２Ｒと、左テンプル部２２Ｌと、によって構成される。フロント部２４は、フレーム２０を装着した際に、ユーザの顔部の前面に対向する部分である。右テンプル部２２Ｒ、左テンプル部２２Ｌは、それぞれ、フレーム２０を装着した際にユーザの側面に配置され、ユーザの耳にかかる部分である。
【００２５】
右表示部３０Ｒ、左表示部３０Ｌは、それぞれ、透光性の表示部材である。右表示部３０Ｒ、左表示部３０Ｌは、ともにフロント部２４に配置されている。ユーザが画像表示装置１０を顔部に装着すると、ユーザの右眼に対向する位置に右表示部３０Ｒが配置され、左眼に対向する位置に左表示部３０Ｌが配置される。以下、本明細書では、右表示部３０Ｒ、左表示部３０Ｌを総称して「表示部３０」と呼ぶ場合がある。
【００２６】
右投影部４０Ｒ、左投影部４０Ｌは、それぞれ、右表示部３０Ｒ、左表示部３０Ｌに画像を投影する部材である。右投影部４０Ｒ、左投影部４０Ｌは、それぞれ、右表示部３０Ｒ、左表示部３０Ｌの側部に設けられている。右投影部４０Ｒ、左投影部４０Ｌは、それぞれ、制御部６０の指示に従って、所定の仮想画像（以下では「オブジェクト画像」と呼ぶ）を表示部３０に投影する。これにより、ユーザは、表示部３０越しにユーザが視認可能な現実世界の対象物又は／及び空間の所定の位置に、上記オブジェクト画像が合成されたかの様に、現実世界の対象物又は／及び空間とオブジェクト画像とを見ることができる。
【００２７】
右カメラ５０Ｒは、フレーム２０のフロント部２４のうち、右表示部３０Ｒの上方位置（即ち、ユーザの右眼の上方に対応する位置）に配置されているカメラである。一方、左カメラ５０Ｌは、フロント部２４のうち、左表示部３０Ｌの上方位置（即ち、ユーザの左眼の上方に対応する位置）に配置されているカメラである。右カメラ５０Ｒと左カメラ５０Ｌのそれぞれによって、画像表示装置１０を装着するユーザの視界範囲に対応する範囲を異なる角度から撮影することができる。
【００２８】
制御部６０は、フレーム２０の一部に内蔵されている制御装置である。制御部６０は、画像表示装置１０の制御系統を司る各要素を含む。
【００２９】
右ジョイント部７０Ｒ、左ジョイント部７０Ｌは、それぞれ、第１のアタッチメント１００及び第２のアタッチメント２００をフレーム２０に装着させるための部材である。以下、右ジョイント部７０Ｒと左ジョイント部７０Ｌを総称して「ジョイント部７０」と呼ぶ場合がある。右ジョイント部７０Ｒは右テンプル部２２Ｒに設けられ、左ジョイント部７０Ｌは左テンプル部２２Ｌに設けられている。右ジョイント部７０Ｒは、ネジ孔７２Ｒと、ジョイント７４Ｒとを備える。ネジ孔７２Ｒは、右テンプル部２２Ｒの一部に形成されている。ジョイント７４Ｒは、右テンプル部２２Ｒの内側の一部に配置されている。ネジ孔７２Ｒ及びジョイント７４Ｒには、ネジ８０Ｒ（図１参照）を螺入可能である。後で説明するように、ジョイント７４Ｒと第１のアタッチメント１００の取付孔１４０Ｒを位置合わせした状態で、ネジ孔７２Ｒ及びジョイント７４Ｒにネジ８０Ｒを螺入することにより、第１のアタッチメント１００をフレーム２０に装着させることができる。また、ジョイント７４Ｒと第２のアタッチメント２００の取付部２２０Ｒとを位置合わせした状態で、ネジ孔７２Ｒ及びジョイント７４Ｒにネジ８０Ｒを螺入することにより、第２のアタッチメント２００をフレーム２０に装着させることができる。即ち、ジョイント部７０は、画像表示装置１０の使用時において、第１のアタッチメント１００及び第２のアタッチメント２００を選択的に（即ちどちらか一方を）フレーム２０に装着させることができる。左ジョイント部７０Ｌも、右ジョイント部７０Ｒと同様に、ネジ孔７２Ｌとジョイント７４Ｌとを有しており、ネジ孔７２Ｌ及びジョイント７４Ｌには、ネジ８０Ｌ（図１参照）を螺入可能である。
【００３０】
ユーザは、フロント部２４を右眼及び左眼に対向する位置に配置するとともに、右テンプル部２２Ｒと左テンプル部２２Ｌとをそれぞれ右側頭部と左側頭部に沿うように配置することで、画像表示装置１０を顔部に装着して使用することができる（変形例では、テンプル部２２Ｒと左テンプル部２２Ｌとをそれぞれ右耳と左耳にかけて装着してもよい）。この際、ユーザは、付属品（即ち、第１のアタッチメント１００、第２のアタッチメント２００、カバー３００、の少なくとも１つ）を用いずに、画像表示装置１０を単独で顔部に装着して使用することができる。
【００３１】
（第１のアタッチメント１００の構成；図１〜図３）
図１に示す第１のアタッチメント１００は、画像表示装置１０の付属品であり、画像表示装置１０のフレーム２０に装着して使用可能なアタッチメントである。ただし、第２のアタッチメント２００がフレーム２０に装着されている場合には、第１のアタッチメント１００をフレーム２０に装着できない。第１のアタッチメント１００は、カチューシャ状の前頭部係止フレーム１１０と、前頭部係止フレーム１１０と一体に形成されている後頭部係止フレーム１２０Ｒ、１２０Ｌ、１３０Ｒ、１３０Ｌと、取付孔１４０Ｒ、１４０Ｌと、を有する。
【００３２】
前頭部係止フレーム１１０は、ユーザの前頭部に係止可能なフレームである。前頭部係止フレーム１１０は、長さ調整機構１１２を有している。長さ調整機構１１２により、図１の矢印Ｌ１、Ｌ２に示すように、前頭部係止フレーム１１０の長さを調整することができる。これにより、ユーザは、第１のアタッチメント１００を頭部の適切な位置に係止させることができるようになる。
【００３３】
後頭部係止フレーム１２０Ｒ、１２０Ｌ、１３０Ｒ、１３０Ｌは、それぞれ、ユーザの後頭部に係止可能なフレームである。取付孔１４０Ｒ、１４０Ｌは、前頭部係止フレーム１１０と後頭部係止フレーム１２０Ｒ、１２０Ｌ、１３０Ｒ、１３０Ｌとの間に開口されている通孔である。
【００３４】
図２に示すように、ジョイント７４Ｒと取付孔１４０Ｒを位置合わせした状態で、ネジ孔７２Ｒ及びジョイント７４Ｒにネジ８０Ｒを螺入するとともに、ジョイント７４Ｌと取付孔１４０Ｌを位置合わせした状態で、ネジ孔７２Ｌ及びジョイント７４Ｌにネジ８０Ｌを螺入することによって、第１のアタッチメント１００を画像表示装置１０のフレーム２０に装着させることができる。
【００３５】
このとき、フレーム２０のジョイント７４Ｒ、７４Ｌは、取付孔１４０Ｒ、１４０Ｌとの位置合わせ位置（即ち、ネジ８０Ｒ、８０Ｌによるネジ止め位置）を変更することにより、第１のアタッチメント１００のフレーム２０に対する装着位置を相対的に変更することができる。具体的には、図２の矢印Ｄ１、Ｄ２、Ｄ３、Ｄ４に示すように、第１のアタッチメント１００のフレーム２０に対する装着位置を、上下及び前後に変更することができる。さらに、図２の矢印Ｄ５、Ｄ６に示すように、取付孔１４０Ｒ、１４０Ｌ（即ちネジ８０Ｒ、８０Ｌ）を中心として、第１のアタッチメント１００を前後方向に回動させることによっても、第１のアタッチメント１００のフレーム２０に対する装着位置を変更することができる。これにより、第１のアタッチメント１００がユーザの頭部に係止される際の位置を調整することができる。そのため、画像表示装置１０をユーザの顔部に装着させた状態で安定して保持させることができるようになる。
【００３６】
図３に示すように、ユーザは、第１のアタッチメント１００を装着した画像表示装置１０を、頭部及び顔部に装着することができる。この際、第１のアタッチメント１００の前頭部係止フレーム１１０は、ユーザの前頭部に係止される。後頭部係止フレーム１２０Ｒ、１２０Ｌ、１３０Ｒ、１３０Ｌは、それぞれ、ユーザの後頭部に係止される。このように、第１のアタッチメント１００がユーザの頭部に係止されることにより、画像表示装置１０をユーザの顔部に装着させた状態で安定して保持することができる。
【００３７】
（第２のアタッチメント２００の構成；図１、図４、図５）
図１に示す第２のアタッチメント２００は、画像表示装置１０の付属品であり、画像表示装置１０のフレーム２０に装着して使用可能なアタッチメントである。ただし、第１のアタッチメント１００がフレーム２０に装着されている場合には、第２のアタッチメント２００をフレーム２０に装着できない。第２のアタッチメント２００は、右アタッチメント２００Ｒと、左アタッチメント２００Ｌと、を有する。
【００３８】
右アタッチメント２００Ｒは、ユーザの頭部を被覆する帽体（例えば、図４のヘルメット４００）の内側に固定される固定部２１０Ｒと、固定部２１０Ｒを画像表示装置１０の右ジョイント部７０Ｒに取り付けるための取付部２２０Ｒと、を有している。
【００３９】
固定部２１０Ｒは、帽体（例えば、図４のヘルメット４００）の内側に、固定テープ２１２Ｒによって固定される板状の部材である。固定部２１０Ｒと取付部２２０Ｒとは別個の部材によって形成されている。図１の矢印Ｄ１１、Ｄ１２に示すように、固定部２１０Ｒは、取付部２２０Ｒに対する配置位置を上下方向に相対的に変更（即ち伸縮）させることができる。これにより、ユーザは、固定部２１０Ｒに固定させた帽体と画像表示装置１０の位置関係を適切に調整することができる。また、固定部２１０Ｒは、取付部２２０Ｒに対して着脱可能に設けられている。取付部２２０Ｒは、固定部２１０Ｒと着脱可能に設けられているブロック状部材である。図４に示すように、取付部２２０Ｒは、ジョイント７４Ｒに位置合わせした状態でネジ止めすることにより、フレーム２０に固定することができる。
【００４０】
左アタッチメント２００Ｌも、右アタッチメント２００Ｒと同様の構成を備えている。即ち、左アタッチメント２００Ｌも、固定部２１０Ｌと、取付部２２０Ｌと、を備える。固定部２１０Ｌには固定テープ２１２Ｌが取り付けられている。
【００４１】
図４に示すように、ジョイント７４Ｒと取付部２２０Ｒを位置合わせした状態で、ネジ孔７２Ｒ及びジョイント７４Ｒにネジ８０Ｒを螺入するとともに、ジョイント７４Ｌと取付部２２０を位置合わせした状態で、ネジ孔７２Ｌ及びジョイント７４Ｌにネジ８０Ｌを螺入することによって、第２のアタッチメント２００（即ち、右アタッチメント２００Ｒ及び左アタッチメント２００Ｌ）を画像表示装置１０のフレーム２０に装着させることができる。さらに、固定部２１０Ｒに取り付けられた固定テープ２１２Ｒ、及び、固定部２１０Ｌに取り付けられた固定テープ２１２Ｌを、ヘルメット４００の内側に固定する。これにより、ヘルメット４００を画像表示装置１０に装着させることができる。
【００４２】
このとき、フレーム２０のジョイント７４Ｒ、７４Ｌは、取付部２２０Ｒ、２２０Ｌとの位置合わせ位置（即ち、ネジ８０Ｒ，８０Ｌによるネジ止め位置）を変更することにより、第２のアタッチメント２００及びヘルメット４００のフレーム２０に対する装着位置を相対的に変更することができる。具体的には、図２の矢印Ｄ２１、Ｄ２２、Ｄ２３、Ｄ２４に示すように、第２のアタッチメント２００及びヘルメット４００のフレーム２０に対する装着位置を、上下及び前後に変更することができる。これにより、帽体がユーザの頭部を被覆する際の位置を調整することができる。そのため、画像表示装置１０をユーザの顔部に装着させた状態で安定して保持させることができるようになる。
【００４３】
図５に示すように、ユーザは、第２のアタッチメント２００及びヘルメット４００を装着した画像表示装置１０を、頭部及び顔部に装着することができる。即ち、ユーザは、ヘルメット４００を被るとともに、画像表示装置１０を顔部に装着することができる。このように、ヘルメット４００でユーザの頭部が被覆されることにより、画像表示装置１０をユーザの顔部に装着させた状態で安定して保持することができる。
【００４４】
さらに、ユーザは、取付部２２０Ｒ、２２０Ｌから、固定部２１０Ｒ、２１０Ｌを取り外すことにより、ヘルメット４００を画像表示装置１０から取り外すことができる。即ち、ユーザは、取付部２２０Ｒ、２２０Ｌをフレーム２０から取り外さなくても、ヘルメット４００を画像表示装置１０から分離させることができる。
【００４５】
（カバー３００の構成；図１、図６、図７）
図１に示すカバー３００は、表示部３０の外側を被覆するためのカバー部材である。カバー３００は、透光性及び耐衝撃性を有する部材（例えばポリカーボネート）によって形成されている。カバー３００は、フレーム２０のフロント部２４の前面を覆う形状に形成されている。
【００４６】
図６に示すように、カバー３００をフロント部２４の前面に嵌め込むことにより、カバー３００を画像表示装置１０に装着させることができる。これにより、カバー３００によって表示部３０が被覆され、落下の衝撃等から表示部３０が保護される。図６の例では、画像表示装置１０にはカバー３００のみが装着されているが、カバー３００が装着された画像表示装置１０に、さらに、第１のアタッチメント１００又は第２のアタッチメント２００を装着させて使用することもできる。
【００４７】
図７に示すように、ユーザは、カバー３００を装着した画像表示装置１０を顔部に装着することができる。この際、表示部３０及びカバー３００がいずれも透光性を有するため、ユーザは、表示部３０及びカバー３００越しに周囲を視認することができる。
【００４８】
以上、実施例の画像表示システム２について説明した。上記の通り、本実施例では、画像表示装置１０のフレーム２０には、第１のアタッチメント１００を装着可能であるとともに、第２のアタッチメント２００を装着可能であって、画像表示装置１０の使用時において第１のアタッチメント１００と第２のアタッチメント２００とのうちの一方を選択的に装着可能なジョイント部７０が設けられている。そのため、画像表示システム２の使用時には、第１のアタッチメント１００と第２のアタッチメント２００（及び帽体）とのうちの一方を選択的にフレーム２０に装着した状態で使用することができる。ユーザ毎に、第１のアタッチメント１００と第２のアタッチメント２００（及び帽体）のどちらを装着した状態で使用するのかを選択することができる。そのため、ユーザ毎に、自身の頭部に適した保持体（即ち、第１のアタッチメント１００又は帽体）を選択することができる。従って、本実施例の画像表示システム２によると、画像表示装置１０をユーザの顔部に装着させた状態で安定して保持することができる。
【００４９】
（対応関係）
実施例の請求項の記載の対応関係を説明しておく。取付孔１４０Ｒ、１４０Ｌが「第１の取付部」の一例である。取付部２２０Ｒ、２２０Ｌが「第２の取付部」の一例である。
ジョイント７４Ｒ、７４Ｌに設けられている取付孔１４０Ｒ、１４０Ｌ及び取付部２２０Ｒ、２２０Ｌとの位置合わせ位置を調整するための機構が「第１の調整機構」の一例である。長さ調整機構１１２が「第２の調整機構」の一例である。固定部２１０Ｒ、２１０Ｌに設けられている取付部２２０Ｒ、２２０Ｌに対する配置位置を相対的に変更させるための機構が「第３の調整機構」の一例である。
【００５０】
以上、本明細書で開示する技術の実施例を詳細に説明したが、上記の実施例は例示に過ぎず、特許請求の範囲を限定するものではない。特許請求の範囲に記載の技術には、以上に例示した具体例を様々に変形、変更したものが含まれる。例えば、以下の変形例を採用してもよい。
【００５１】
（変形例１）上記の実施例では、画像表示装置１０は、右表示部３０Ｒと、左表示部３０Ｌと、の両眼に対応した表示部をそれぞれ備えている。これに限られず、画像表示装置は、右表示部と、左表示部のうちの一方のみを有していてもよい。また、画像表示装置は、両眼に対応する（即ち両眼をカバー可能な）１個の表示部のみを有していてもよい。即ち、画像表示装置は、フレームがユーザの顔部に装着される場合におけるユーザの右眼に対向する位置と左眼に対向する位置とのうちの少なくとも一方に配置される表示部を有していれば、どのような表示部を有していてもよい。
【００５２】
（変形例２）上記の実施例では、フレーム２０は、眼鏡フレーム状の部材である。これには限られず、フレームは、第１のアタッチメント１００及び第２のアタッチメント２００を装着可能なジョイント部を有していれば、眼鏡フレーム状に限られず、任意の形状のものを用いることができる。従って、例えば、フレームが、顔部を覆うマスク状に形成されていてもよい。
【００５３】
（変形例３）上記の実施例では、表示部３０は透光性の表示部材である。これに限られず、表示部は遮光性の表示部材であり、ユーザがフレームを顔部に装着した際に、ユーザの視界を遮るものであってもよい。また、この場合、カバー３００が遮光性の部材によって形成されていてもよい。
【００５４】
（変形例４）第２のアタッチメント２００（より具体的には固定部２１０Ｒ、２１０Ｌ）が固定される帽体は、図４に示すようなヘルメット４００には限られない。第２のアタッチメント２００が固定される帽体は、ユーザの頭部を被覆可能なものであれば、ヘルメットに限られず、帽子等であってもよい。
【００５５】
（変形例５）第１のアタッチメント１００の形状は、図１に示すようなカチューシャ状に限られず、ヘアバンド状等、ユーザの頭部に係止可能であれば任意の形状に形成されていてもよい。
【００５６】
（変形例６）上記の実施例では、右ジョイント部７０Ｒ、左ジョイント部７０Ｌは、それぞれ、ネジ８０Ｒ、８０Ｌによってネジ止めすることによって、第１のアタッチメント１００及び第２のアタッチメント２００をフレーム２０に装着させる。ジョイント部７０と第１のアタッチメント１００及び第２のアタッチメント２００との固定方法は、ネジ止めには限られず、任意の方法で固定することができる。例えば、右ジョイント部７０Ｒ、左ジョイント部７０Ｌは、それぞれ、第１のアタッチメント１００の一部及び第２のアタッチメント２００の一部を、ジョイント７４Ｒ、７４Ｌに嵌め込むことによって、第１のアタッチメント１００及び第２のアタッチメント２００をフレーム２０に装着させるようにしてもよい。その場合、第１のアタッチメント１００は、取付孔１４０Ｒ、１４０Ｌに代えて、ジョイント７４Ｒ、７４Ｌに嵌め込むための嵌め込み構造体を有していてもよい。同様に、第２のアタッチメント２００の取付部２２０Ｒ、２２０Ｌも、ジョイント７４Ｒ、７４Ｌに嵌め込むための嵌め込み構造体を有していてもよい。
【００５７】
（変形例７）また、上記の実施例では、フレーム２０のジョイント７４Ｒ、７４Ｌは、取付孔１４０Ｒ、１４０Ｌとの位置合わせ位置（即ち、ネジ８０Ｒ、８０Ｌによるネジ止め位置）を変更することにより、第１のアタッチメント１００のフレーム２０に対する装着位置を相対的に変更することができる。同様に、ジョイント７４Ｒ、７４Ｌは、取付部２２０Ｒ、２２０Ｌとの位置合わせ位置（即ち、ネジ８０Ｒ、８０Ｌによるネジ止め位置）を変更することにより、第２のアタッチメント２００及びヘルメット４００のフレーム２０に対する装着位置を相対的に変更することができる。しかしながら、第１のアタッチメント１００及び第１のアタッチメント２００のフレーム２０に対する装着位置の変更方法は、ネジ止め位置の変更に限られず、任意の手法によって行ってもよい。例えば、位置変更用のダイヤル機構を備えておき、ダイヤル機構のダイヤル部分を回すことによって、第１のアタッチメント１００及び第１のアタッチメント２００のフレーム２０に対する装着位置を変更するようにしてもよい。
【００５８】
また、本明細書又は図面に説明した技術要素は、単独であるいは各種の組合せによって技術的有用性を発揮するものであり、出願時請求項記載の組合せに限定されるものではない。また、本明細書又は図面に例示した技術は複数目的を同時に達成するものであり、そのうちの一つの目的を達成すること自体で技術的有用性を持つものである。
【符号の説明】
【００５９】
２：画像表示システム
１０：画像表示装置
２０：フレーム
２２Ｌ：左テンプル部
２２Ｒ：右テンプル部
２４：フロント部
３０Ｌ：左表示部
３０Ｒ：右表示部
４０Ｌ：左投影部
４０Ｒ：右投影部
５０Ｌ：左カメラ
５０Ｒ：右カメラ
６０：制御部
７０Ｌ：左ジョイント部
７０Ｒ：右ジョイント部
７２Ｌ、７２Ｒ：ネジ孔
７４Ｌ、７４Ｒ：ジョイント
８０Ｌ、８０Ｒ：ネジ
１００：第１のアタッチメント
１１０：前頭部係止フレーム
１１２：長さ調整機構
１２０Ｌ、１２０Ｒ：後頭部係止フレーム
１３０Ｌ、１３０Ｒ：後頭部係止フレーム
１４０Ｌ、１４０Ｒ：取付孔
２００：第２のアタッチメント
２００Ｌ：左アタッチメント
２００Ｒ：右アタッチメント
２１０Ｌ、２１０Ｒ：固定部
２１２Ｌ、２１２Ｒ：固定テープ
２２０Ｌ、２２０Ｒ：取付部
３００：カバー
４００：ヘルメット
【図１】
0006779080.tif 000002
【図２】
0006779080.tif 000003
【図３】
0006779080.tif 000004
【図４】
0006779080.tif 000005
【図５】
0006779080.tif 000006
【図６】
0006779080.tif 000007
【図７】
0006779080.tif 000008